(57)【要約】【課題】  一軸性延伸フィルムおよび液晶補償フィルムを利用して、超ねじれネマチック液晶素子の視野角と色とを同時に補償する超ねじれネマチック液晶素子に適用する補償フィルムを提供する。【解決手段】  光学シート１００ａは、一軸性延伸フィルム１０２および液晶補償フィルム１０４を少なくとも備える。一軸性延伸フィルム１０２の位相差値は、１５０〜６５０ｎｍの間である。また、液晶補償フィルム１０４は、一軸性延伸フィルム１０２の一側面に設けられ、光学シート１００ａの下視野角コントラスト比が少なくとも２を超えて、光学シート１００ａの下視野角が３０度を超えるように調整する。【選択図】  図１Ａ
2006079050.tif 000002
【特許請求の範囲】
【請求項１】
超ねじれネマチック液晶素子に適用する光学シートであって、
位相差値が１５０〜６５０ｎｍの間である一軸性延伸フィルムと、
前記一軸性延伸フィルムの一方の一側面に設けられて、下視野角コントラスト比が少なくとも２を超えて、下視野角が３０度を超えるようにする液晶補償フィルムと、
を備えることを特徴とする光学シート。
【請求項２】
前記一軸性延伸フィルムの他方の一側面に設けられた直線偏光フィルムを備えることを特徴とする請求項１記載の光学シート。
【請求項３】
前記直線偏光フィルムは、
前記一軸性延伸フィルム上に設けられた直線偏光層と、
前記直線偏光層上に設けられた保護層と、
を有することを特徴とする請求項２記載の光学シート。
【請求項４】
前記直線偏光フィルムは、
前記一軸性延伸フィルム上に設けられた第１の保護層と、
前記第１の保護層上に設けられた直線偏光層と、
前記直線偏光層上に設けられた第２の保護層と、
を有することを特徴とする請求項２記載の光学シート。
【発明の詳細な説明】
【技術分野】
【０００１】
本発明は、平面表示装置の構成要素に関し、特に超ねじれネマチック液晶素子に適用する光学シートに関する。
【背景技術】
【０００２】
液晶表示装置は、高画質、小体積、軽重量、低電圧駆動、低電力消費そして広い応用範囲などの長所を有する。そのため、中小型の携帯式テレビ、携帯電話、ビデオカメラ、ノートブック型コンピュータ、デスクトップ型表示装置およびプロジェクションテレビなどといった大衆消費電子製品あるいはコンピュータ製品に広く利用され、次第に陰極線管（cathode ray tube：ＣＲＴ）に取って代わり表示装置の主流となった。
【０００３】
典型的な液晶表示装置は、バックライト源、後部偏光板、液晶層および前部偏光板を少なくとも備える。液晶分子の複屈折特性により、液晶層を通過した光線は楕円偏光となり、位相差値が生じる。この位相差値は、液晶表示装置を異なる視野角で見たときに、異なる輝度および階調を発生させる。
【０００４】
超ねじれネマチック（super twisted nematic：ＳＴＮ）液晶は、液晶表示装置によく使用される液晶タイプであり、液晶分子の大きいねじれ角により、優れた表示効果を得ることができる。一般には、従来技術において、超ねじれネマチック液晶パネル中に液晶補償フィルムを加えて、色表示の補償を行っていた。しかし、この液晶補償フィルムは、液晶表示装置の視野角に対しては補償を行わなかった。視野角補償が行われていない液晶表示装置の場合、一定の角度に傾斜されるとコントラスト比が低下して、階調反転が起きることがあり、その表示性能に悪い影響を与えていた。
【発明の開示】
【発明が解決しようとする課題】
【０００５】
本発明の目的は、一軸性延伸フィルムおよび液晶補償フィルムを利用して、超ねじれネマチック液晶素子の視野角と色とを同時に補償する超ねじれネマチック液晶素子に適用する補償フィルムを提供することにある。
本発明のもう一つの目的は、視野角補償および色補償の機能を有するだけでなく、その工程が簡易であり、その他の機能を有する光学フィルムとの結合が容易な超ねじれネマチック液晶素子に適用する光学シートを提供することにある。
【課題を解決するための手段】
【０００６】
上述の目的を達成するために、本発明は、超ねじれネマチック液晶素子に適用する光学シートを提供する。この光学シートは、一軸性延伸フィルムおよび液晶補償フィルムを少なくとも備える。一軸性延伸フィルムの位相差値は、１５０〜６５０ｎｍの間である。また、液晶補償フィルムは、一軸性延伸フィルムの一側面に設けられて、光学シートの特性を補償する。すなわち、液晶補償フィルムは、光学シートの下視野角コントラスト比が少なくとも２を超えて、光学シートの下視野角が３０度を超えるように調整する。
【０００７】
本発明の液晶補償フィルムはネマチック液晶であり、一軸性延伸フィルムは、ポリカーボネートまたはシクロオレフィンポリマー（cycloolefin polymer：ＣＯＰ）からなる。液晶補償フィルムは、角度が９０〜２４０度の間のホモジニアス配向の液晶補償フィルムである。光学シートは、一軸性延伸フィルムの他方の一側面に設けられた直線偏光フィルムをさらに備える。本発明の直線偏光フィルムは、第１の保護層、直線偏光層および第２の保護層を有する。第１の保護層は、一軸性延伸フィルム上に設けられ、直線偏光層は第１の保護層上に設けられ、第２の保護層は直線偏光層上に設けられる。
【０００８】
本発明の直線偏光フィルムは、直線偏光層および一つの保護層を有する。直線偏光層は一軸性延伸フィルム上に設けられ、保護層は直線偏光層上に設けられて、一軸性延伸フィルムおよび液晶補償フィルムを利用することにより、本発明のもう一つの保護層を代替する。また、液晶補償フィルムは、垂直配向の液晶補償フィルムにすることもできる。また、光学シートは、一軸性延伸フィルムと液晶補償フィルムとの間に設けられる感圧性接着剤である接着剤層をさらに備えてもよい。
【発明の効果】
【０００９】
本発明は、液晶補償フィルムと一軸性延伸フィルムとの組合わせにより、色および視野角に対して補償を行い、特に超ねじれネマチック液晶素子に適用する。また、本発明は、垂直方向の補償効果を元々備えていなかったＲ偏光板に垂直方向の補償を加えるが、その工程は簡単であり実施が容易である。また、本発明の補償フィルムは、その他の機能を有する光学フィルムと結合して、例えば、色および視野角に補償を行う偏光板などの光学シートを形成して、液晶表示装置に広く応用することができる。
【発明を実施するための最良の形態】
【００１０】
図１Ａは、本発明の好適な一実施形態を示す模式図である。光学シート１００ａは、一軸性延伸フィルム１０２および液晶補償フィルム１０４を備えて、超ねじれネマチック液晶素子に適用する。一軸性延伸フィルム１０２の位相差値は、１５０〜６５０ｎｍの間である。液晶補償フィルム１０４は、一軸性延伸フィルム１０２の一側面に設けられている。液晶補償フィルム１０４は、光学シート１００ａの下視野角コントラスト比が少なくとも２を超え、光学シートの下視野角が３０度を超えるように調整することができる。
【００１１】
ここで注意しなければならないことは、本実施形態において、一軸性延伸フィルム１０２および液晶補償フィルム１０４の厚さは、フィルムの材料、液晶素子の液晶材料、バックライト源の波長およびその他の要素に合わせて適当に調整して、上述の下視野角コントラスト比および下視野角範囲の要求に合致させ、液晶表示装置の表示性能を最適化することができる点にある。
【００１２】
この好適な実施形態において、液晶補償フィルム１０４は、ネマチック液晶からなり、一軸性延伸フィルム１０２は、ポリカーボネートまたはシクロオレフィンポリマーからなる。液晶補償フィルム１０４は、９０〜２４０度の間の角度を有するホモジニアス配向の液晶補償フィルムである。しかし、液晶補償フィルム１０４は、補償の様々な要求に合わせて、垂直配向の液晶補償フィルムにしてもよく、これもまた本発明の主旨および範囲に含まれる。
【００１３】
図１Ｂは、本発明の好適な一実施形態を示す模式図である。本実施形態の光学シート１００ｂは、工程の必要に合わせて、或いはフィルム間の結合強度を向上させるために、一軸性延伸フィルム１０２と液晶補償フィルム１０４との間に、接着剤層１０６をさらに設けてもよい。本実施形態では、感圧性接着剤（pressure sensitive adhesive：ＰＳＡ）を接着剤層１０６に使用し、次にその製造工程の詳細を述べる。
【００１４】
液晶補償フィルム１０４は、直接接着、塗布または転写印刷の方式により、一軸性延伸フィルム１０２に結合される。直接接着および塗布のそれぞれは、従来のフィルム製造工程であり、当該分野の同業者であれば、熟知されている技術を利用して行うことができるため、ここでは詳しく述べない。図２Ａおよび図２Ｂは、本発明の好適な一実施形態であり、液晶補償フィルム１０４を、転写印刷により一軸性延伸フィルム１０２に結合する方法を示す模式図である。
【００１５】
図２Ａに示すように、例えば、ノズル２０２により、液晶材料を仮基板２０４上へ塗布して液晶補償フィルム１０４を形成するなどして、先ず、仮基板２０４上に液晶補償フィルム１０４を形成する。その後、図２Ｂに示すように、液晶補償フィルム１０４を有する基板２０４を、表面に接着剤層１０６を有する一軸性延伸フィルム１０２上へ圧着する。本実施形態の接着剤層１０６は感圧性接着剤であり、その粘性は液晶補償フィルム１０４と基板２０４との間の粘性よりも大きいために、液晶補償フィルム１０４が圧着されると、一軸性延伸フィルム１０２上へスムーズに転写印刷される。転写印刷の方法を利用して得られた液晶補償フィルム１０４は、厚さが薄いために、液晶パネルの軽量薄型化に有利である。
【００１６】
図３Ａは、本発明のもう一つの好適な実施形態を示す模式図である。本実施形態の光学シート３００ａは、上述の一軸性延伸フィルム１０２および液晶補償フィルム１０４の他に、一軸性延伸フィルム１０２の他方の一側面に設けられる直線偏光フィルム３１０ａをさらに備える。直線偏光フィルム３１０ａは、第１の保護層３１２、直線偏光層３１４および第２の保護層３１６ａを備える。第１の保護層３１２は一軸性延伸フィルム１０２上に設けられ、直線偏光層３１４は第１の保護層３１２上に設けられ、第２の保護層３１６ａは直線偏光層３１４上に設けられる。
【００１７】
図３Ｂは、本発明のさらにもう一つの好適な実施形態を示す模式図である。本実施形態の直線偏光フィルム３１０ｂは、直線偏光層３１４および保護層３１６ｂを備える。直線偏光層３１４を一軸性延伸フィルム１０２上に設け、保護層３１６ｂを直線偏光層３１４上に設け、一軸性延伸フィルム１０２および液晶補償フィルム１０４により、図３Ａの実施形態が示す保護層３１２を代替して、光学シートの構成要素を減らすことにより、その厚さと重量を減らして、光学シートの製造工程を簡素化する。
【００１８】
直線偏光層３１４は、ポリビニールアルコール（polyvinyl alcohol：ＰＶＡ）またはその他の適当な材料からなり、保護層３１２、３１６ａ、３１６ｂは、トリアセチルセルロース（triacetyl cellulose：ＴＡＣ）または従来からあるその他適当な材料からなってもよい。
【００１９】
ここで注意しなければならないことは、図３Ａおよび図３Ｂに示す各層間に、各層間の接着力を強化するための接着剤層を設けてもよいことである。説明の便宜上、図面およびこの説明では接着剤層に対してほとんど説明を行っていないが、当該技術に習熟した者であるなら分かるように、その実施方法および目的も本発明の範囲内に含まれると理解されるべきである。
【００２０】
本発明では好適な実施形態を前述の通り開示したが、これらは決して本発明を限定するものではなく、当該技術に熟知するものなら誰でも、本発明の主旨と領域を脱しない範囲内で各種の変更や修正を加えることができる。従って本発明の保護の範囲は、特許請求の範囲で指定した内容を基準とする。
【図面の簡単な説明】
【００２１】
【図１Ａ】本発明の好適な一実施形態による光学シートを示す模式図である。
【図１Ｂ】本発明の好適な一実施形態による光学シートを示す模式図である。
【図２Ａ】本発明の好適な一実施形態による光学シートの転写印刷方法を示す模式図である。
【図２Ｂ】本発明の好適な一実施形態による光学シートの転写印刷方法を示す模式図である。
【図３Ａ】本発明のもう一つの好適な一実施形態による光学シートを示す模式図である。
【図３Ｂ】本発明のさらにもう一つの好適な一実施形態による光学シートを示す模式図である。
【符号の説明】
【００２２】
１００ａ、１００ｂ  光学シート、１０２  一軸性延伸フィルム、１０４  液晶補償フィルム、１０６  接着剤層、２０２  ノズル、２０４  基板、３００ａ、３００ｂ  光学シート、３１０ａ、３１０ｂ  直線偏光フィルム、３１２  第１の保護層、３１４  直線偏光層、３１６ａ  第２の保護層、３１６ｂ  保護層
【図１Ａ】
2006079050.tif 000003
【図１Ｂ】
2006079050.tif 000004
【図２Ａ】
2006079050.tif 000005
【図２Ｂ】
2006079050.tif 000006
【図３Ａ】
2006079050.tif 000007
【図３Ｂ】
2006079050.tif 000008